(57)【要約】      （修正有）【課題】小物を収納できる収納部を備えながら、スマートフォンなどの携帯情報端末を収納した状態でも、携帯情報端末の携帯性を低下させることなく、電話、メール、写真撮影などへの対応を迅速に行うことができる携帯情報端末用ケースを提供する。【解決手段】携帯情報端末用ケース１００は、携帯情報端末を保持する携帯情報端末保持部１０と、小物などを収納する収納部２０と、電波干渉を防止する防磁シートと、を備える。携帯情報端末保持部１０は、携帯情報端末の背面を覆う背面部１と、携帯情報端末の側面を覆う側面部２と、携帯情報端末のディスプレイ部分を開放させる開口部３と、を有し、収納部２０は、背面部１の開口部３に対して裏面側に、携帯情報端末保持部１０と一体的に装設され、防磁シートは、背面部１と収納部２０との間及び／又は背面部１の開口部側に設けられている。【選択図】図１
0003201331.tif 000002
【実用新案登録請求の範囲】
【請求項１】
携帯情報端末を保持する携帯情報端末保持部と、小物などを収納する収納部と、電波干渉を防止する防磁シートと、を備える携帯情報端末用ケースであって、
前記携帯情報端末保持部は、前記携帯情報端末の背面を覆う背面部と、前記携帯情報端末の側面を覆う側面部と、前記携帯情報端末のディスプレイ部分を開放させる開口部と、を有し、
前記収納部は、前記背面部の前記開口部に対して裏面側に、前記携帯情報端末保持部と一体的に装設され、
前記防磁シートは、前記背面部と前記収納部との間及び／又は前記背面部の前記開口部側に設けられていることを特徴とする携帯情報端末用ケース。
【請求項２】
前記収納部の少なくとも１つの側面に開閉部を有し、
前記開閉部は、前記収納部を開閉するためのファスナーを備えることを特徴とする請求項１に記載の携帯情報端末用ケース。
【請求項３】
前記収納部の少なくとも１つの側面に開閉部を有し、
前記開閉部は、前記収納部に小物などを出し入れするための出し入れ部と、
前記出し入れ部を被覆するための蓋体と、を備えることを特徴とする請求項１又は２に記載の携帯情報端末用ケース。
【考案の詳細な説明】
【技術分野】
【０００１】
本考案は、携帯情報端末用ケースに関するものである。
【背景技術】
【０００２】
スマートフォンやタブレット等の携帯情報端末は常に持ち歩く必要があるため、クレジットカード、ＩＣカード、紙幣などを一緒に収納する収納部を設けた携帯情報端末用ケースが多く販売されている。しかし、最近の携帯情報端末は画面の見易さや操作性等を考慮して大型化する傾向にあり、それに合わせて携帯情報端末用ケースも大型化している。このため、携帯情報端末自体の携帯性が悪くなり、携帯情報端末をカバン等に収納することが多くなって、電話やメールに対する迅速な応答や写真撮影における迅速な使用に問題が生じている。
【０００３】
例えば、特許文献１には、携帯電話支持部と紙幣や硬貨を収納できる財布内側カバー部とで構成されている携帯型情報端末収納容器が開示されている。
【先行技術文献】
【特許文献】
【０００４】
【特許文献１】実用新案登録第３１９７８９８号公報
【考案の概要】
【考案が解決しようとする課題】
【０００５】
しかしながら、特許文献１に記載の携帯型情報端末収納容器では、特許文献１の図１及び図２に示されるように、財布内側カバー部が携帯情報端末のディスプレイを被覆した状態となるため、携帯型情報端末収納容器の厚みが増し、携帯情報端末の携帯性に問題が生じている。また、携帯電話支持部と財布内側カバー部とが、携帯情報端末の全体を覆う構成となっているため、電話、メール、写真撮影などへの迅速な対応ができない場合があった。
【０００６】
本考案は、上記問題点に鑑みてなされたものであり、クレジットカード、ＩＣカード、紙幣などを収納できる収納部を備えながら、スマートフォンなどの携帯情報端末を収納した状態でも、携帯情報端末の携帯性を低下させることなく、電話、メール、写真撮影などへの対応を迅速に行うことができる携帯情報端末用ケースを提供することを目的とする。
【課題を解決するための手段】
【０００７】
即ち、本考案は以下の考案を含む。
[考案１]
携帯情報端末を保持する携帯情報端末保持部と、小物などを収納する収納部と、電波干渉を防止する防磁シートと、を備える携帯情報端末用ケースであって、
前記携帯情報端末保持部は、前記携帯情報端末の背面を覆う背面部と、前記携帯情報端末の側面を覆う側面部と、前記携帯情報端末のディスプレイ部分を開放させる開口部と、を有し、
前記収納部は、前記背面部の前記開口部に対して裏面側に、前記携帯情報端末保持部と一体的に装設され、
前記防磁シートは、前記背面部と前記収納部との間及び／又は前記背面部の前記開口部側に設けられていることを特徴とする携帯情報端末用ケース。
[考案２]
前記収納部の少なくとも１つの側面に開閉部を有し、
前記開閉部は、前記収納部を開閉するためのファスナーを備えることを特徴とする考案１に記載の携帯情報端末用ケース。
[考案３]
前記収納部の少なくとも１つの側面に開閉部を有し、
前記開閉部は、前記収納部に小物などを出し入れするための出し入れ部と、
前記出し入れ部を被覆するための蓋体と、を備えることを特徴とする考案１又は２に記載の携帯情報端末用ケース。
【考案の効果】
【０００８】
本考案の携帯情報端末用ケースは、背面部の裏面に、収納部が一体的に装設されているため、収納部を備えながら、携帯情報端末用ケースの厚みを最小限に抑えることができ、携帯情報端末の携帯性を維持することができる。また、背面部と、収納部の間及び／又は背面部の開口部側に防磁シートを備えることから、収納部にＩＣカード等を収納してもＩＣカードと携帯情報端末との電波干渉を防ぐことができるため、読み取りエラーなどを防ぐことができる。
【図面の簡単な説明】
【０００９】
【図１】図１は本考案が適用された第一実施形態の携帯情報端末用ケースの外観斜視図である。
【図２】図２は本考案が適用された携帯情報端末用ケースの構成状態を示した分解斜視図である。
【図３】図３は本考案が適用された第二実施形態の携帯情報端末用ケースの正面図である。
【図４】図４は蓋体を開けた状態の第二実施形態の携帯情報端末用ケースの正面図である。
【図５】図５は本考案が適用された第三実施形態の携帯情報端末用ケースの外観斜視図である。
【考案を実施するための形態】
【００１０】
以下、本考案に係る携帯情報端末用ケースに関する実施形態を図１〜図５に基づいて説明する。ただし、本考案は、以下に説明する実施形態や図面に記載される構成に限定されることを意図しない。
【００１１】
＜第一実施形態＞
図１は本考案が適用された第一実施形態の携帯情報端末用ケース１００の外観斜視図である。図２は本考案が適用された携帯情報端末用ケース１００の構成状態を示した分解斜視図である。携帯情報端末用ケース１００は、携帯情報端末を保持するための携帯情報端末保持部１０と、ＩＣカード、キャッシュカード、お金などを収納するための収納部２０と、ＩＣカードと携帯情報端末との電波干渉を防ぐための防磁シート３０と、を備えている。携帯情報端末保持部１０は、携帯情報端末の背面を覆う背面部１と、携帯情報端末の側面を覆う側面部２と、携帯情報端末のディスプレイ部分を開放させる開口部３と、を有している。携帯情報端末保持部１０の背面部１は、携帯情報端末の形態に合わせた部材で構成され、携帯情報端末を保持、保護する部材であり、携帯情報端末保持部１０の側面部２は、携帯情報端末の形態に合わせて湾曲した部材で構成され、携帯情報端末を保持、保護する部材である。携帯情報端末保持部１０は、背面部１と、側面部２とにより、携帯情報端末を確実に保持、保護しながら、開口部３から、携帯情報端末のディスプレイを容易に視認できるように構成されている。ここで、本明細書中でいう携帯情報端末とは、スマートフォンやタブレットなどの携帯移動可能な情報端末をいう。
【００１２】
収納部２０は、携帯情報端末保持部１０の背面部１の開口部３に対して裏面側に、携帯情報端末保持部１０と一体的に装設されている。これにより、携帯情報端末用ケース１００は、収納部２０を備えながら、携帯情報端末用ケース１００としての厚みを最小限に抑えることができ、携帯情報端末としての携帯性を維持することが可能となる。ここで、一体的に装設されるとは、携帯情報端末保持部１０と収納部２０とが固定され、一体的に形成されているものをいう。本実施形態において、収納部２０は、携帯情報端末保持部１０の背面部１に直接的に固定されているが、例えば、携帯情報端末保持部１０の背面部１を介して一体として形成してもよい。これにより、携帯情報端末用ケース１００としての厚みをさらに抑制することができるとともに、見た目にも良好な印象を与えることができる。収納部２０を、携帯情報端末保持部１０の背面部１を介して一体に形成する方法としては、例えば、ポリウレタン樹脂などの合成樹脂で形成された携帯情報端末保持部１０の骨格に、収納部２０が構築された合成皮革などで全体を覆うことにより携帯情報端末用ケース１００を一体的に形成することができる。
【００１３】
収納部２０は、開閉部２１を開口させることにより、ＩＣカード、キャッシュカード、お金などを出し入れすることができる袋状の部材である。収納部２０の内部は、収納するものに合わせて仕切りを入れ、複数の収納空間を設けてもよい。収納部２０に設けられた開閉部２１は、収納部２０を開閉する部材で構成されている。図１に示される第一実施形態の携帯情報端末用ケース１００では、開閉部２１として、収納部２０の長手方向の側面に沿って、ファスナー２２が設けられている。ファスナー２２は、開閉部２１の開口を覆う部材であり、ファスナー２２を開閉することにより収納部２０から小物などを出し入れすることができる。本実施形態の携帯情報端末用ケース１００では、開閉部２１は、収納部２０の長手方向の一側面に設けられているが、収納部２０の短手方向及び／又は長手方向の側面のいずれの個所に設けてもよい。ファスナー２２としては、例えば、線ファスナー、面ファスナー、雄雌咬合型ファスナー、スライダー付雄雌咬合型ファスナーなどを挙げることができる。
【００１４】
防磁シート３０は、ＩＣカードと携帯情報端末との電波干渉を防ぐための部材である。図２に示される携帯情報端末用ケース１００では、携帯情報端末保持部１０と収納部２０との間に防磁シート３０を設けているが、防磁シート３０は、携帯情報端末保持部１０の背面部１の開口部側、つまり、携帯情報端末を装着する側に設けてもよく、両方に設けることも可能である。これにより、ＩＣカードと携帯情報端末との電波干渉を確実に防ぐことができる。
【００１５】
＜第二実施形態＞
図３は本考案が適用された第二実施形態の携帯情報端末用ケース２００の正面図である。図４は蓋体２４を開けた状態の携帯情報端末用ケース２００の正面図である。携帯情報端末用ケース２００は、携帯情報端末を保持するための携帯情報端末保持部１０と、ＩＣカード、キャッシュカード、お金などを収納するための収納部２０と、ＩＣカードと携帯情報端末との電波干渉を防ぐための防磁シートと、を備えている。携帯情報端末保持部１０に関しては、第一実施形態と同じ構成であるため、収納部２０に関してのみ説明する。
【００１６】
収納部２０は、携帯情報端末保持部１０の背面部１の開口部３に対して裏面側に、携帯情報端末保持部１０と一体的に装設されている。これにより、携帯情報端末用ケース２００は、収納部２０を備えながら、携帯情報端末用ケース２００としての厚みを最小限に抑えることができ、携帯情報端末としての携帯性を維持することが可能となる。
【００１７】
収納部２０は、開閉部２１を開口させることにより、ＩＣカード、キャッシュカード、お金などを出し入れすることができる袋状の部材である。収納部２０の内部は、収納するものに合わせて仕切りを入れ、複数の収納空間を設けてもよい。収納部２０に設けられた開閉部２１は、収納部２０を開閉する部材で構成されている。図３及び図４に示される携帯情報端末用ケース２００では、収納部２０の長手方向の側面に開閉部２１を備えている。開閉部２１には、収納部２０の長手方向の側面に沿って、小物などを出し入れするための出し入れ部２３、及び出し入れ部２３を被覆するための蓋体２４が設けられている。蓋体２４は、出し入れ部２３の長手方向に沿って、携帯情報端末保持部１０側の収納部２０から延設され、蓋体２４を開閉部２１の長手方向に沿って折り曲げることにより、出し入れ部２３を完全に被覆するように構成されている。本実施形態の携帯情報端末用ケース２００では、開閉部２１は、収納部２０の長手方向の一側面に設けられているが、収納部２０の短手方向及び／又は長手方向の側面のいずれの個所に設けてもよい。
【００１８】
携帯情報端末用ケース２００には、蓋体２４を開閉部２１の長手方向に沿って折り曲げて出し入れ部２３を被覆する際に、蓋体２４と収納部２０とを固定するための連結部２５が設けられている。本実施形態では、連結部２５は、蓋体２４を閉じた際に、収納部２０の外表面と接する蓋体２４の内側部分に設けられる雄連結部材２５ａと、蓋体２４を閉じた際に、雄連結部材２５ａが接触する収納部２０の外表面部分に設けられる雌連結部材２５ｂとで構成されている。雄連結部材２５ａ及び雌連結部材２５ｂにより、蓋体２４を閉じると、雄連結部材２５ａと雌連結部材２５ｂとが連結し、蓋体２４が収納部２０に着脱可能に固定される。雌雄連結部材２５ａ，２５ｂには、磁石を内蔵してもよい。これにより、蓋体２４を収納部２０の表面に容易に固定することができる。
【００１９】
＜第三実施形態＞
図５は本考案が適用された第三実施形態の携帯情報端末用ケース３００の正面図である。携帯情報端末用ケース３００は、携帯情報端末を保持するための携帯情報端末保持部１０と、ＩＣカード、キャッシュカード、お金などを収納するための収納部２０と、ＩＣカードと携帯情報端末との電波干渉を防ぐための防磁シートと、を備えている（図示せず）。携帯情報端末保持部１０に関しては、第一実施形態と同じ構成であるため、収納部２０に関してのみ説明する。
【００２０】
収納部２０は、携帯情報端末保持部１０の背面部１の開口部３に対して裏面側に、携帯情報端末保持部１０と一体的に装設されている。これにより、携帯情報端末用ケース３００は収納部２０（２０ａ，２０ｂ）を備えながら、携帯情報端末用ケース３００としての厚みを最小限に抑えることができ、携帯情報端末としての携帯性を維持することが可能となる。収納部２０には、第一収納部２０ａ及び第二収納部２０ｂが設けられており、例えば、第一収納部２０ａにはＩＣカード、クレジットカード、紙幣などを収納し、第二収納部２０ｂには硬貨などを収納する。
【００２１】
第一収納部２０ａは、開閉部２１ａを開口させることにより、ＩＣカード、キャッシュカード、紙幣などを出し入れすることができる袋状の部材であり、第二収納部２０ｂは、開閉部２１ｂを開口させることにより、硬貨などを出し入れすることができる袋状の部材である。収納部２０の内部は、収納するものに合わせて仕切りを入れ、複数の収納空間を設けてもよい。収納部２０に設けられた開閉部２１（２１ａ，２１ｂ）は、収納部２０（２０ａ，２０ｂ）を開閉する部材で構成されている。図５に示される携帯情報端末用ケース３００では、第一収納部２０ａ及び第二収納部２０ｂの長手方向の側面に開閉部２１（２１ａ，２１ｂ）を備えている。
【００２２】
開閉部２１ａには、収納部２０ａの長手方向の側面に沿って、ファスナー２２が設けられている。ファスナー２２は、開閉部２１ａの開口を覆う部材であり、ファスナー２２を開閉することにより収納部２０ａからＩＣカードやキャッシュカードなどを出し入れすることができる。開閉部２１ｂには、第二実施形態と同様に、収納部２０ｂの長手方向の側面に沿って、小物などを出し入れするための出し入れ部が設けられている（図示せず）。蓋体２４は、出し入れ部の長手方向に沿って、携帯情報端末保持部側から延設され、蓋体２４を開閉部２１ｂの長手方向に沿って折り曲げて、出し入れ部を完全に被覆するように構成されている。本実施形態の携帯情報端末用ケース３００では、開閉部２１（２１ａ，２１ｂ）は、収納部２０（２０ａ，２０ｂ）の長手方向の一側面に設けられているが、収納部２０（２０ａ，２０ｂ）の短手方向及び／又は長手方向の側面のいずれの個所に設けてもよい。
【００２３】
携帯情報端末用ケース３００には、蓋体２４を開閉部２１ｂの長手方向に沿って折り曲げて出し入れ部２３を被覆する際に、蓋体２４と収納部２０ａとを固定するための連結部２５が設けられている。本実施形態では、連結部２５は、第二実施形態と同様に、蓋体２４を閉じた際に、収納部２０の外表面と接する蓋体２４の内側部分に設けられる雄連結部材２５ａと、蓋体２４を閉じた際に、雄連結部材が接触する収納部２０の外表面部分に設けられる雌連結部材とで構成されている（図示せず）。雄連結部材及び雌連結部材により、蓋体２４を閉じると、雄連結部材と雌連結部材とが連結し、蓋体２４が収納部２０に着脱可能に固定される。雌雄連結部材には、磁石を内蔵してもよい。これにより、蓋体２４を収納部２０ｂの表面に容易に固定することができる。
【産業上の利用可能性】
【００２４】
本考案に係る携帯情報端末用ケースは、スマートフォンやタブレット等の携帯情報端末において利用することができる。
【符号の説明】
【００２５】
１              背面部
２              側面部
３              開口部
１０            携帯情報端末保持部
２０            収納部
２１            開閉部
２２            ファスナー
２３            出し入れ部
２４            蓋体
２５            連結部
３０            防磁シート
１００，２００，３００    携帯情報端末用ケース
【図１】
0003201331.tif 000003
【図２】
0003201331.tif 000004
【図３】
0003201331.tif 000005
【図４】
0003201331.tif 000006
【図５】
0003201331.tif 000007